(57)【要約】【課題】文字修飾が施された文字を含むテキストを表すテキストデータを簡便に送受信することができるファクシミリ装置を提供する。【解決手段】  ファクシミリ装置に受信イメージデータを受信テキストデータに変換するイメージ−テキスト変換部と、前記受信テキストデータに含まれる文字修飾情報を表すタグを検出して解析し、前記受信テキストデータが表すテキストに前記タグが表す文字修飾を施した状態で出力手段に出力させるための出力信号を生成するタグ解析部とを設ける。これにより、送信側において、イメージデータに変換されたタグ付きのテキストデータを受信側で正しく再現することができる。【選択図】図１
2005252640.tif 000002
【特許請求の範囲】
【請求項１】
ファクシミリ装置において、
受信イメージデータを受信テキストデータに変換するイメージ−テキスト変換部と、
前記受信テキストデータに含まれる文字修飾情報を表すタグを検出して解析し、前記受信テキストデータが表すテキストに前記タグが表す文字修飾を施した状態で出力手段に出力させるための出力信号を生成するタグ解析部と、
を備えることを特徴とするファクシミリ装置。
【請求項２】
請求項１に記載されたファクシミリ装置において、
前記出力手段が前記受信テキストデータが表すテキストを画面上に表示する表示部であることを特徴とするファクシミリ装置。
【請求項３】
請求項１に記載されたファクシミリ装置において、
前記出力手段が前記受信テキストデータが表すテキストを用紙に印刷する印刷部であることを特徴とするファクシミリ装置。
【請求項４】
１乃至３のうちのいずれかに記載されたファクシミリ装置において、
送信テキストデータを入力するための操作部と、
前記送信テキストデータを送信イメージデータに変換するイメージデータ生成部とを備え、
前記操作部が文字修飾手段を含み、前記テキストデータに文字修飾情報を表すタグを含ませることにより、前記送信イメージデータに文字修飾情報を含ませた状態で送信できるようにしたことを特徴とするファクシミリ装置。
【請求項５】
請求項１乃至４のうちのいずれかに記載のファクシミリ装置において、
前記文字修飾情報が色情報を含んでいることを特徴とするファクシミリ装置。
【請求項６】
第１のファクシミリ装置が、文字修飾情報を表すタグを含むテキストデータをイメージデータに変換して第２のファクシミリ装置へ送信し、
第２のファクシミリ装置が受信した前記イメージデータを変換して前記テキストデータを復元し、該テキストデータに含まれる前記タグを解析して、文字修飾されたテキストを出力するようにした、
ことを特徴とする通信方法。
【発明の詳細な説明】
【技術分野】
【０００１】
本発明は、ファクシミリ装置に関し、特に、操作部から入力されたテキストを表すテキストデータをイメージデータに変換して送受信するファクシミリ装置に関する。
【背景技術】
【０００２】
従来のファクシミリ装置として、操作部から入力されたテキスト（文字列）を表すテキストデータをイメージデータに変換し、符号化してファクシミリ文書として送信する装置がある。この装置は、図等を含まない（文字列のみからなる）文書を、用紙を用いることなく簡単に相手ファクシミリ装置に送ることができるという特長がある。
【０００３】
また、従来のファクシミリ装置として、カラー画像を送信することができるカラーファクシミリ装置がある。
【０００４】
また、ファクシミリ装置ではないが、コンピュータの分野では、文字列を表すテキストデータに、その文字列の文字修飾情報を表すタグを挿入しておき、タグが挿入されたテキストデータを所定のアプリケーションソフトを用いて表示部に表示させることにより、文字修飾された文字列を表示させる技術が存在する。この技術では、タグが挿入されたテキストデータをネットワーク等を通じて他のコンピュータに伝送することにより、他のコンピュータでも、同一又は同種のアプリケーションソフトを用いて、文字修飾された文字列を表示部の画面上に表示させ、印刷することができる。
【発明の開示】
【発明が解決しようとする課題】
【０００５】
操作部から入力されたテキストデータをイメージデータに変換し、符号化してファクシミリ文書として送信する従来のファクシミリ装置には、モノクロのイメージデータしか送信することができず、文字列に色を付ける等の文字修飾を施すことができない、という問題点がある。
【０００６】
上記問題点は、カラーファクシミリ装置に用いられる技術を利用することにより解決できるが、その場合、色の三原色に夫々対応するデータが必要となるため、伝送されるデータ量がモノクロの場合に比べて単純計算で３倍となり、伝送効率及び処理効率が低下し、簡便性が低下するという別の問題が発生する。
【０００７】
また、コンピュータ分野で用いられているテキストデータにタグを挿入する方法は、テキストデータをイメージデータに変換して送受信を行うファクシミリ装置へそのまま適用することができないという問題点がある。
【０００８】
そこで、本発明は、文字修飾が施された文字を含むテキストを表すテキストデータを簡便に送受信することができるファクシミリ装置を提供することを目的とする。
【課題を解決するための手段】
【０００９】
本発明によれば、ファクシミリ装置において、受信イメージデータを受信テキストデータに変換するイメージ−テキスト変換部と、前記受信テキストデータに含まれる文字修飾情報を表すタグを検出して解析し、前記受信テキストデータが表すテキストに前記タグが表す文字修飾を施した状態で出力手段に出力させるための出力信号を生成するタグ解析部と、を備えることを特徴とするファクシミリ装置が得られる。
【００１０】
また、本発明によれば、上記ファクシミリ装置において、送信テキストデータを入力するための操作部と、前記送信テキストデータを送信イメージデータに変換するイメージデータ生成部とを備え、前記操作部が文字修飾手段を含み、前記テキストデータに文字修飾情報を表すタグを含ませることにより、前記送信イメージデータに文字修飾情報を含ませた状態で送信できるようにしたことを特徴とするファクシミリ装置が得られる。
【００１１】
さらに、本発明によれば、第１のファクシミリ装置が、文字修飾情報を表すタグを含むテキストデータをイメージデータに変換して第２のファクシミリ装置へ送信し、第２のファクシミリ装置が受信した前記イメージデータを変換して前記テキストデータを復元し、該テキストデータに含まれる前記タグを解析して、文字修飾されたテキストを出力するようにしたことを特徴とする通信方法が得られる。
【発明の効果】
【００１２】
本発明によれば、ファクシミリ装置に、イメージ−テキスト変換部とタグ解析部とを設けたことにより、テキストデータに文字修飾情報を表すタグを挿入した後イメージデータに変換して送信した場合に、受信側でテキストに文字修飾を施した状態で表示又は印刷を行うことができる。
【発明を実施するための最良の形態】
【００１３】
以下、図面を参照して本発明の実施の形態について詳細に説明する。
【００１４】
図1に、本発明の一実施の形態に係るファクシミリ装置のブロック図を示す。図示のように、本実施の形態に係るファクシミリ装置１０は、装置全体を制御する主制御部１１と、テキスト（文字）の入力・編集や通信実行の指示を行うための操作部１２と、入力・編集中のテキストや受信文書（テキスト）、受信イメージ等を表示するためのカラー表示部１３と、通信を制御する通信制御部１４と、色情報等の文字修飾情報を表すタグを検出し解析・処理・除去を行うタグ解析部１５と、ファクシミリイメージデータ（以下、単にイメージデータ）を生成するイメージデータ生成部１６と、イメージデータが表すイメージに対し文字認識を行いテキストデータに変換するとともに、テキストデータをイメージデータに変換するためのイメージ−テキスト変換部１７と、イメージデータが表すイメージを用紙に印刷出力するための記録部１８と、様々な情報を保存・格納するための記憶部１９と、ＮＣＵ（Network Control Unit）２０と、モデム２１とを備えている。
【００１５】
なお、主制御部１１は、イメージデータを符号化／復号化するためのＣＯＤＥＣ１１１を有している。
【００１６】
また、記憶部１９は、受信したファクシミリ文書（符号化データ）を記憶するための符号化データ記憶部１９１と、編集中のテキストデータを一時保存しておくためのテキストデータ記憶部１９２とを有している。
【００１７】
次に、図１に加え、図２乃至図６を参照して、ファクシミリ装置１０の動作について説明する。
【００１８】
まず、図１及び図２を参照して、ファクシミリ装置１０が、送信側となる場合の、テキストの入力・編集について説明する。
【００１９】
オペレータが操作部１２を操作して、文字入力・編集モードを選択すると、操作部１２からテキストの入力・編集を行うことができる。主制御部１１は、操作部１２からの入力に応じて、表示部１３を制御し、入力されたテキストを表示させるとともに、そのテキストを表すテキストデータをテキストデータ記憶部１９２に格納する。こうして、操作部１２からテキストの入力を行うと、表示部１３の画面上には、入力されたテキストが図２（ａ−１）に示すように表示される。また、テキストデータ記憶部１９２には、表示部１３に表示されたテキストを表すテキストデータが格納される。このとき、テキストデータ記憶部１９２に格納されるテキストデータを目で見える形で表すと、図２（ｂ−１）のようになる。なお、テキストの表示色は、デフォルトの状態で黒色であるとする。また、図２（ｂ−１）において、屈曲矢印は“改行”を表している。
【００２０】
次に、オペレータが操作部１２を操作して、その後入力する文字に対して文字修飾（フォント変更、スタイル変更、色変更、インデント等）を行うと、テキストデータ記憶部１９２に格納されるテキストデータには、それ以後の文字に対して文字修飾が行われることを示すタグが追加される。図２（ｂ−２）には、文字の色が赤色に変更されたことを示す（赤色文字の始点を表す）タグ“＄ＲＥＤ＄”が追加された状態を示している。このとき、表示部１３の表示は図２（ａ−２）に示すように変化しない。
【００２１】
続いて、オペレータが操作部１２からテキスト入力を行うと、表示部１３の表示は図２（ａ−３）に示すようになる（ここでは、白抜き文字が赤色文字を表している。）。また、テキストデータ記憶部１９２にも、入力されたテキストに対応するデータが追加される。
【００２２】
次に、オペレータが操作部１２を操作して、その後入力する文字の色をデフォルト（黒色）に戻すよう設定すると、テキストデータ記憶部１９２に格納されるテキストデータに赤色文字の終点を表すタグ“＄／ＲＥＤ＄”が追加される。このとき、表示部１３の表示は、図２（ａ−４）に示すように変化しない。このあと、操作部１２からテキストを入力すると、入力されたテキストが表示部１３に黒色で表示され、テキストデータ記憶部１９２に格納されるテキストデータに、入力された文字に対応するデータが追加される。
【００２３】
以上のようにして、オペレータが操作部１２からテキスト入力を行うと、テキストデータ記憶部１９２に対応するテキストデータが格納される。テキスト入力の際に、文字の色を指定するなどの文字修飾が行われると、それに対応する文字修飾情報としてタグがテキストデータに挿入される。
【００２４】
なお、上記説明では、タグであることを示す記号として“＄”を用いたが、操作部１２からテキストとして入力できる記号以外の記号であれば、他の記号を用いてもよい。
【００２５】
次に、図１、図３及び図４を参照して、ファクシミリ装置１０の送信動作について説明する。
【００２６】
上述したようなテキストデータの入力をステップＳ３０１で終えた後、同じく操作部１２より、送信実行の指示を与えると、ファクシミリ装置１０は送信動作を開始する（ステップＳ３０２）。
【００２７】
詳述すると、主制御部１１は、操作部１２からの通信開始の指示を受けて、通信制御部１４に通信開始を指示する。主制御部１１からの指示を受けた通信制御部１４は、相手ファクシミリ装置を呼び出す（ＣＮＧ信号を周期的に送信する）。相手ファクシミリ装置は呼び出しに応じた後（ＣＥＤ信号を送信した後）、通常のファクシミリ通信の手順に従い所定の情報（ＮＳＦ信号，ＣＳＩ信号，ＤＩＳ信号）を送信する。
【００２８】
相手ファクシミリ装置から所定の情報を受け取った通信制御部１４は、相手ファクシミリ装置の属性を認識し、相手ファクシミリ装置がタグ解析能力を有しているか否か、即ち、自装置と同じ構成を有しているか否か判断する（ステップＳ３０３）。その結果、相手ファクシミリ装置がタグ解析能力を有していると判断したときは、タグ付き文書を送信することを相手ファクシミリ装置に通知（ＴＳＩ信号に加え、タグ付き文書送付ビットをＯＮにしたＮＳＳ信号を送信）し（ステップＳ３０４）、その旨、主制御部１１にも通知する。一方、相手ファクシミリ装置がタグ解析能力を有していないと判断したときは、通信制御部１４は、タグが含まれていない通常の文書を送信することを相手ファクシミリ装置に通知する（タグ付き文書送付ビットをＯＦＦにしたＮＳＳ信号を送信）し、主制御部１１に対してタグの削除を要求する（ステップＳ３０５）。
【００２９】
主制御部１１は、通信制御部１４から相手ファクシミリがタグ解析能力を有しているとの通知を受けたときは、テキストデータ記憶部１９２に格納されているテキストデータを読み出し、イメージデータ生成部１６へ送る。一方、相手ファクシミリがタグ解析能力を有していないとの通知を通信制御部１４から受けた主制御部１１は、テキストデータ記憶部１９２から読み出したテキストデータをタグ解析部１５へ送り、タグの削除を命令する。
【００３０】
タグの削除命令を受けたタグ解析部１５は、入力されたテキストデータからタグに相当する部分を検出して削除する。そして、タグ解析部１５は、タグを削除したテキストデータをイメージデータ生成部１６へ出力する。
【００３１】
イメージデータ生成部１６は、入力されたテキストデータからイメージデータを生成（テキストデータをイメージデータに変換）し、主制御部１１へ出力する。主制御部１１は、入力されたイメージデータをＣＯＤＥＣ１１１にて符号化してファクシミリ文書（符号化イメージデータ）とし、通信制御部１４へ出力する。通信制御部１４は、モデム２１及びＮＣＵ２０を介して相手ファクシミリ装置へ、ファクシミリ文書を送信する（ステップＳ３０６）。
【００３２】
以上のようにして、ファクシミリ装置１０は、相手ファクシミリ装置がタグ解析能力を有している場合には、タグを含んだままのテキストデータをイメージデータに変換し、符号化して相手ファクシミリ装置に送り、タグ解析能力を有していない場合には、タグを削除したテキストデータをイメージデータに変換し、符号化して送信する。これにより、タグ解析能力を持たないファクシミリ装置への、文字修飾情報を表すタグが含まれたファクシミリ文書（符号化イメージデータ）の送信が防止される。
【００３３】
次に、図１、図４及び図５を参照して、ファクシミリ装置１０の受信動作について説明する。
【００３４】
通信制御部１４は、ＮＣＵ２０及びモデム２１を介して外部から呼び出しを受けると、それに自動応答して通信を開始し（ステップＳ５０１）する。そして、通信制御部１４は、自装置の属性等を送信側ファクシミリ装置に通知する。その際、通信制御部１４は、自装置にタグ解析能力が有ることを送信側ファクシミリ装置に通知（タグ解析能力ありビットをＯＮしたＮＳＦ信号を送信）する（ステップＳ５０２）。
【００３５】
次に、通信制御部１４は、送信側のファクシミリ装置から送信されてくる情報（上述したＮＳＳ信号）に基づいて、その後送られてくる文書がタグ付き文書であるのか否か判断する（ステップＳ５０３）。判断の結果は、主制御部１１に伝えられる。
【００３６】
その後、通信制御部１４は、ＮＣＵ２０及びモデム２１を介して受信したファクシミリ文書を、主制御部１１へ送る。主制御部１１は、先に通信制御部１４から通知された判断結果に基づいて、受信したファクシミリ文書をタグ付き文書とタグ無し文書とに区別して符号化データ記憶部１９１に格納する（ステップＳ５０４，Ｓ５０５）。
【００３７】
ファクシミリ文書の受信を完了した後、通信制御部１４は、通信を終了する（ステップＳ５０６）。
【００３８】
次に、図１及び図６を参照して、受信したファクシミリ文書の出力動作について説明する。
【００３９】
オペレータが操作部１２を操作して、受信したファクシミリ文書の出力要求を行うと（ステップＳ６０１）、主制御部１１は、出力要求の対象となった文書がタグ付き文書か否か判断する（ステップＳ６０２）。
【００４０】
出力要求の対象となった文書がタグ付き文書の場合、主制御部１１は、その文書を符号化データ記憶部１９１から読み出して、ＣＯＤＥＣ１１１で復号化し、復号したイメージデータをイメージ−テキスト変換部１７へ供給する。イメージ−テキスト変換部１７は、供給されたイメージデータを文字認識記述等を用いてテキストデータに変換する（ステップＳ６０３）。得られたテキストデータは、テキストデータ記憶部１９２に一時格納される。
【００４１】
次に、主制御部１１は、出力先を判定する。ここでは、表示部１３がカラー表示機能を有し、記録部１８がモノクロ出力機能を有する場合について説明するが、記録部１８がカラー出力機能を有している場合には、表示部１３に出力する場合と同様になる。
【００４２】
カラー出力機能を持つ表示部１３に受信文書を出力する場合、主制御部１１は、テキストデータ記憶部１９２に記憶されたテキストデータをタグ解析部１５渡し、タグの解析を命令する。タグ解析部１５は、入力されたテキストデータからタグを検出し、解析して、タグが表す文字修飾がテキストに対して施された状態で表示部１３に表示されるような画面表示データを生成し、表示部１３へ出力する（ステップＳ６０５）。表示１３は、タグ解析部１５からの画面表示データに基づいて、画面上に文字修飾された文字を含むテキストを表示する。
【００４３】
一方、カラー出力機能を持たない（モノクロ出力機能しか持たない）記録部１８に受信文書を出力する場合は、主制御部１１が、テキストデータ記憶部１９２に記憶されたテキストデータをタグ解析部１５渡し、タグの解析を命令する。命令を受けたタグ解析部１５は、入力されたテキストデータからタグを検出して除去する。そして、タグ解析部１５は、タグを除去したテキストデータをイメージ生成部１６へ出力する。イメージ生成部１６は、入力されたテキストデータに基づいてイメージデータを生成する（ステップＳ６０６）。主制御部１１は、イメージ生成部１６で生成されたイメージデータを記録部１８へ引き渡す。記録部１８は、入力されたイメージデータに基づいて印刷を行う。
【００４４】
一方、ステップＳ６０２において出力要求の対象となった文書がタグ無し文書であると判断した場合、主制御部１１は、その文書を符号化データ記憶部１９１から読み出して、ＣＯＤＥＣ１１１で復号化し、表示部１３又は記録部１８へ出力する。表示部１３及び記録部１８は、入力された復号化されたイメージデータに基づいて画面表示又は印刷を行う（ステップＳ６０７）。
【００４５】
以上、本発明について一実施の形態に即して説明したが、本発明は上記実施の形態に限定されるものではない。例えば、上記実施の形態では、操作部から入力したテキストデータに対してタブを挿入して送受信する場合について説明したが、スキャナ等で読み込んだイメージデータをテキストデータに変換するようにしてもよい。
【図面の簡単な説明】
【００４６】
【図１】本発明の一実施の形態に係るファクシミリ装置の構成を示すブロック図である。
【図２】（ａ−１）乃至（ａ−５）及び（ｂ−１）乃至（ｂ−５）は、図１のファクシミリ装置に対してテキストデータの入力を行う場合の、表示画面と記憶部に格納されるデータとの関係を説明するための図である。
【図３】図１のファクシミリ装置の送信動作を説明するためのフローチャートである。
【図４】図１のファクシミリ装置の送受信開始の際の信号のやり取りを説明するための図である。
【図５】図１のファクシミリ装置の受信動作を説明するためのフローチャートである。
【図６】図１のファクシミリ装置の出力動作を説明するためのフローチャートである。
【符号の説明】
【００４７】
１０    ファクシミリ装置
１１    主制御部
１１１    ＣＯＤＥＣ
１２    操作部
１３    表示部
１４    通信制御部
１５    タグ解析部
１６    イメージデータ生成部
１７    イメージ−テキスト変換部
１８    記録部
１９    記憶部
１９１    符号化データ記憶部
１９２    テキストデータ記憶部
２０    ＮＣＵ
２１    モデム
【図１】
2005252640.tif 000003
【図２】
2005252640.tif 000004
【図３】
2005252640.tif 000005
【図４】
2005252640.tif 000006
【図５】
2005252640.tif 000007
【図６】
2005252640.tif 000008